(57)【要約】【課題】利用者が、放送時間が短い番組の放送時間を簡単に把握でき、また、放送時間が長い番組が電子番組表に表示できる時間帯以上の放送時間なのかどうかを簡単に把握できる電子番組表を表示できるデジタル放送受信装置を提供する。【解決手段】デジタル放送受信装置１の制御部（ＣＰＵ）１３は、番組情報をメモリ部１４から取得し、取得した番組情報の中の放送時間が、２０分以上であるか否かを判定する。番組の放送時間が、２０分以上の場合は、表示領域内にラージフォントを用いて番組名を表示し、番組の放送時間が２０分未満の場合は、表示領域内にスモールフォントを用いて番組名を表示する。番組名を表示した後、番組の放送時間が３時間を越えるか否かを判定する。番組の放送時間が３時間を越える場合は、番組情報を表示する領域の色を灰色に変更し、番組の放送時間が３時間以下の場合は、番組情報を表示する領域の色を白色に変更する。【選択図】        図２
2004363744.tif 000002
【特許請求の範囲】
【請求項１】
番組に関する番組情報を各番組の放送時間と放送チャネルにより決定される領域に表示する電子番組表表示機能を備えた受信装置において、番組の放送時間の長さによって、該番組の番組情報の表示形態を変更して表示する表示手段を有することを特徴とする受信装置。
【請求項２】
前記表示手段が変更して表示する表示形態は、番組情報を表示する文字のフォントの大きさであることを特徴とする請求項１に記載の受信装置。
【請求項３】
前記表示手段が変更して表示する表示形態は、番組情報を表示する文字のフォントの種類であることを特徴とする請求項１又は２に記載の受信装置。
【請求項４】
前記表示手段が変更して表示する表示形態は、番組情報を表示する領域の色であることを特徴とする請求項１乃至３のいずれかに記載の受信装置。
【請求項５】
前記表示手段が変更して表示する表示形態は、番組情報を表示する領域の枠の形状であることを特徴とする請求項１乃至４のいずれかに記載の受信装置。
【請求項６】
前記表示手段が変更して表示する表示形態は、番組情報を表示する領域に表示するアイコンであることを特徴とする請求項１乃至５のいずれかに記載の受信装置。
【発明の詳細な説明】
【０００１】
【発明の属する技術分野】
本発明は、受信装置に関し、より詳細には、電子番組表を表示する際に、番組の放送時間の長さによって、該番組の番組情報を表示する文字の形態や該番組の番組情報を表示する領域の表示形態を変更して表示することにより、利用者に番組の放送時間の長さをわかりやすく表示することができる電子番組表表示機能を備えたデジタル放送受信装置に関する。
【０００２】
【従来の技術】
近年、国内では、ＢＳ（Ｂｒｏａｄｃａｓｔｉｎｇ  Ｓａｔｅｌｌｉｔｅ）デジタル放送が開始され、今後、地上波デジタル放送等が計画されており、これらに対応した受信装置が種々提案されている。これらのデジタル放送では、映像データ、音声データ、および、データ放送のデータといった番組のデータが送信され、さらに、番組に関する情報を含むＳＩ（Ｓｅｒｖｉｃｅ  Ｉｎｆｏｒｍａｔｉｏｎ）情報といったデータも送信される。これらのデータは、それぞれ異なったＰＩＤ（パケット識別子）により識別されるパケット単位で構成され、さらに、これらのパケットは、ＩＳＯ／ＩＥＣ１３８１８−１で規定されているトランスポートストリームとしてまとめられて送信される。
【０００３】
ＳＩ情報には、サービス記述テーブルＳＤＴ（Ｓｅｒｖｉｃｅ  Ｄｅｓｃｒｉｐｔｉｏｎ  Ｔａｂｌｅ）、イベント情報テーブルＥＩＴ（Ｅｖｅｎｔ  Ｉｎｆｏｒｍａｔｉｏｎ  Ｔａｂｌｅ）、時刻オフセットテーブルＴＯＴ（Ｔｉｍｅ  Ｏｆｆｓｅｔ  Ｔａｂｌｅ）等が存在する。ＳＤＴには、編成チャネルの名称など、編成チャネルに関する情報が含まれる。また、ＥＩＴは、番組の名称、放送日時、番組の内容、出演者などの番組に関する情報（以下、番組情報という）を伝送する。尚、ＳＩ情報の詳細については、社団法人電波産業会の規格  ＡＲＩＢ  ＳＴＤ−Ｂ１０等に記載されている。
【０００４】
ＥＩＴで伝送される番組情報を用いて、利用者に放送番組の情報を提示する機能が電子番組表である。一般的な電子番組表は、縦軸と横軸としてそれぞれ時刻と放送チャネルを用い、番組毎に、該番組の放送時間と放送チャネルにより決まる領域を確保し、各番組の名称等の番組情報を確保した領域に表示することで、番組情報を利用者に提示している。
【０００５】
ＥＩＴで伝送される番組情報は、例えば、８日分の番組情報が伝送されるが、市販のテレビ等のモニタの解像度では、８日分全部の番組情報を表示できないため、放送時間の範囲と放送チャネルの数を限定して表示している。ところが、番組の放送時間が短いと、該番組の番組情報を表示する領域の幅が狭くなり、番組の名称（タイトル）がその領域に入りきらない場合がでてくる。タイトルがその領域に入らない場合は、タイトルの一部を省略して表示している。
【０００６】
電子番組表を表示できる従来技術として、特開平１０−２８２４４号公報（情報表示装置）に記載されているように、電子番組ガイド（電子番組表）を表示する際に、各番組のセル（領域）に表示すべき情報の文字数等の情報量に応じて、各番組のセルの大きさ（高さ）を変更することによって、長い文字数のタイトルも省略されることなく表示できるようにしたものがある（例えば、特許文献１参照）。
【０００７】
【特許文献１】
特開平１０−２８２４４号公報（第３−５頁、第１図）
【０００８】
【発明が解決しようとする課題】
しかしながら、番組の放送時間は、１分以下の短いものから、数十時間に及ぶ長いものまで様々であることが想定される。電子番組表に表示される一つ一つの番組の領域の大きさは、電子番組表に表示される時間帯に対して相対的な大きさで表現され、その領域の大きさ（幅）から、番組の放送時間の長さが判断できる。ところが、上述した従来技術では、番組の放送時間が短くなると、該番組の領域の幅が狭くなるため、該番組の放送時間の判別精度が悪くなり、番組の放送時間が利用者にとって解りにくくなる可能性がある。また、放送時間が長い番組については、電子番組表に表示する時間帯に収まりきれない場合があるため、該番組の全体の放送時間の長さがどれくらいか、利用者にとって解らない可能性が有る。
【０００９】
本発明は、上述のごとき実情に鑑みてなされたもので、電子番組表を表示する際に、番組の放送時間の長さによって、番組情報を表示する文字の形態や番組情報を表示する領域の表示形態を変更して表示することにより、番組の放送時間の長さを判別することを可能とした電子番組表表示機能を有するデジタル放送受信装置を提供することを目的とする。
【００１０】
【課題を解決するための手段】
本発明は、番組に関する番組情報を各番組の放送時間と放送チャネルにより決定される領域に表示する電子番組表表示機能を備えた受信装置において、番組の放送時間の長さによって、該番組の番組情報の表示形態を変更して表示する表示手段を有することを特徴とするもので、例えば、チューナ・復調部と、ＴＳデコーダと、制御部と、メモリ部と、ＡＶデコーダと、グラフィックス生成部と、混合部と、音声出力部と、映像表示部と、操作部とから構成されるデジタル放送受信装置であって、メモリ部は、番組情報を格納する領域を有し、取得した番組情報を前記メモリ部に格納し、時刻とチャネルを軸として、テーブル状に番組情報を配置した電子番組表を作成して表示する際に、番組の放送時間の長さによって、番組の表示方法を変更して表示するようにしたものである。
【００１１】
また、前記表示手段が変更して表示する表示形態は、番組情報を表示する文字のフォントの大きさであることを特徴とするもので、例えば、電子番組表を作成して表示する際に、番組の表示方法として、番組の表示に使用する文字のフォントの大きさを変更して表示するようにしたものである。
【００１２】
また、前記表示手段が変更して表示する表示形態は、番組情報を表示する文字のフォントの種類であることを特徴とするもので、例えば、電子番組表を作成して表示する際に、番組の表示方法として、番組の表示に使用する文字のフォントの種類を変更して表示するようにしたものである。
【００１３】
また、前記表示手段が変更して表示する表示形態は、番組情報を表示する領域の色であることを特徴とするもので、例えば、電子番組表を作成して表示する際に、番組の表示方法として、番組の領域の表示に使用する色を変更して表示するようにしたものである。
【００１４】
また、前記表示手段が変更して表示する表示形態は、番組情報を表示する領域の枠の形状であることを特徴とするもので、例えば、電子番組表を作成して表示する際に、番組の表示方法として、番組の領域を表示する形状を変更して表示するようにしたものである。
【００１５】
また、前記表示手段が変更して表示する表示形態は、番組情報を表示する領域に表示するアイコンであることを特徴とするもので、例えば、電子番組表を作成して表示する際に、番組の表示方法として、番組の領域に表示するアイコンを変更して表示するようにしたものである。
【００１６】
【発明の実施の形態】
図１は、本発明によるデジタル放送受信装置の一実施例の構成を示す図であり、図１において、デジタル放送受信装置１内にあるチューナ・復調部１１は、アンテナ（図示せず）で受信したデジタル放送信号を受信信号入力端子２０から受取り、デジタル放送信号の選局とデジタル放送信号の信号形態に従った復調及び誤り訂正を行って、多重化デジタルデータを生成する。ＴＳ（トランスポートストリーム）デコーダ１２は、チューナ・復調部１１から出力された多重化デジタルデータをデコードしてＴＳデータを抽出する。制御部（ＣＰＵ）１３は、デジタル放送受信装置１全体を統括制御するものであり、メモリ部１４は、ＴＳデコーダ１２で抽出されたＴＳデータの他、デジタル放送受信装置１で使用されるデータを格納し、また、メモリ部１４の一部に番組情報１４ａを格納する。
【００１７】
番組情報１４ａには、例えば、デジタル放送で送信されるＳＩ情報の中のＥＩＴにより伝送される放送番組の情報、例えば、番組の名称、放送日時、番組の内容、出演者などの番組に関する情報が格納される。番組情報１４ａに格納する番組情報は、デジタル放送により送信されるＳＩ情報に限らず、デジタル放送受信装置１の構成として、インターネットに接続できる構成を取る場合は、インターネットから取得した番組情報を格納しても良い。同様に、デジタル放送受信装置１の構成として、メモリカードやハードディスク等の外部記憶装置を接続できる構成を取る場合、外部記憶装置に格納された番組情報を取得して格納しても良い。
【００１８】
ＡＶ（オーディオビジュアル）デコーダ１５は、ＴＳデコーダ１２から出力されたＴＳデータをデコードして音声信号及び映像信号を生成する。グラフィックス生成部１６は、映像表示部１９への文字表示機能（オン・スクリーン・ディスプレイ（ＯＳＤ）を含む）の情報を生成する。混合部１７は、ＡＶデコーダ１５から出力された映像信号とグラフィックス生成部１６から出力された文字表示機能の情報を混合して混合映像信号を出力し、映像表示部１９は、混合部１７から出力された混合映像信号を表示する。音声出力部１８は、ＡＶデコーダ１５から出力された音声信号を出力する。操作部１０は、デジタル放送受信装置１本体に設けられた利用者が操作するための操作部で、リモートコントローラ（リモコン）２から出力された信号を受信する受信部を含んでいる。
【００１９】
次に、上述したデジタル放送受信装置の一実施例において、電子番組表を作成して表示する際の表示規則の一例について説明する。電子番組表は、横軸に時刻、縦軸にチャネルを軸として用いることとし、横軸、つまり、表示する放送時間の全体の長さを３時間、そして、縦軸、つまり、チャネル数を５とする。表示画面の１画素を１ピクセルと定義して、時間軸（横軸）については、１分を３ピクセルとし、チャネル（縦軸）については、１チャネルを４５ピクセルとする。また、電子番組表を表示するために使用するフォントの大きさ（サイズ）は、大きいフォント（ラージフォント）と、小さいフォント（スモールフォント）の２種類とし、ラージフォントは、縦横が２４ピクセル×２４ピクセル、スモールフォントは、縦横が１２ピクセル×１２ピクセルとする。
【００２０】
上記の条件で、例として１５分の番組を表示する場合、１５分の番組は、時間軸で４５ピクセルに相当し、従って、横方向に、ラージフォントでは１文字、スモールフォントでは３文字の表示を行うことができる。また、縦方向については、１チャネルが４５ピクセルなので、ラージフォントでは１文字、スモールフォントでは３文字の表示を行うことが可能である。従って、１５分の番組の領域に、ラージフォントでは１文字、スモールフォントでは９文字の文字を表示できる。
【００２１】
電子番組表の各番組の領域には、番組名を表示する。このとき、表示する番組名の全ての文字をその番組の領域に表示できない場合は、表示できる文字数の番組名の文字の内、最後の文字を「…」に置き換えて表示することとする。番組名は、番組の放送時間の長さが２０分以上の場合は、ラージフォントを用い、２０分未満の場合は、スモールフォントを用いることとする。
【００２２】
また、番組の放送時間が、全体の表示時間である３時間を越える番組については、領域の背景の色に灰色、３時間以下の番組については、領域の背景の色に白色を使って、番組を表示するものとする。
【００２３】
図２は、本発明によるデジタル放送受信装置の一実施例における電子番組表を表示する処理のフローチャートであり、利用者が、リモコン２あるいは操作部１０を用いて電子番組表を表示する指示を出すと、デジタル放送受信装置１は、以下のように電子番組表を表示する処理を行う。図２において、デジタル放送受信装置１の制御部（ＣＰＵ）１３は、始めに、電子番組表に表示する先頭のチャネルと、番組を表示する時間範囲を設定する（ステップＳ１）。ここでは、先頭のチャネルは、現在視聴中のチャネルとして、また、番組を表示する時間範囲は、現在の時刻から３時間の範囲として設定する。
【００２４】
次に、設定したチャネルと設定した時間範囲の先頭にある番組の情報をメモリ部１４から取得する（ステップＳ２）。取得した番組情報の中の放送時間が、２０分以上であるか否かを判定する（ステップＳ３）。番組の放送時間が、２０分以上と判定した場合は、番組情報の表示領域の座標を計算し、計算した座標に基づいて表示領域の枠を表示し、さらに、該表示領域内にラージフォントを用いて番組名を表示し（ステップＳ４）、ステップＳ６に進む。ステップＳ３において、番組の放送時間が２０分未満と判定した場合は、番組情報の表示領域の座標を計算し、計算した座標に基づいて表示領域の枠を表示し、さらに、表示領域内にスモールフォントを用いて番組名を表示する（ステップＳ５）。
【００２５】
番組名を表示した後、番組の放送時間が３時間を越えるか否かを判定する（ステップＳ６）。番組の放送時間が３時間を越えると判定した場合は、番組情報を表示する領域の色を灰色に変更し（ステップＳ７）、ステップＳ９に進む。ステップＳ６において、番組の放送時間が３時間以下と判定した場合は、番組情報を表示する領域の色を白色に変更する（ステップＳ８）。
【００２６】
領域の色を変更した後、設定したチャネルの設定した時間範囲内の全ての番組について表示したか否かを判定する（ステップＳ９）。設定したチャネルの設定した時間範囲内の全ての番組について表示していないと判定した場合は、設定したチャネルの次の番組の番組情報を取得した後（ステップＳ１１）、ステップＳ３に戻り、ステップＳ３以降の処理を繰り返す。
【００２７】
ステップＳ９で、設定したチャネルの設定した時間範囲内の全ての番組について表示したと判定した場合は、全てのチャネルの番組を表示したか否かを判定する（ステップＳ１０）。全てのチャネルの番組を表示していないと判定した場合は、次のチャネルを設定した後（ステップＳ１２）、ステップＳ２に戻り、ステップＳ２以降の処理を繰り返す。ステップＳ１０において、全てのチャネルの番組を表示したと判定した場合は、処理を終了する。
【００２８】
上述した処理によれば、例えば、放送時間が１５分の番組を表示する場合、番組名がスモールフォントで表示されるので、利用者は、電子番組表に表示される番組のうち、どれが放送時間１５分以下の番組であるかを番組名のフォントのサイズによって判別することができる。また、もし、本発明を用いずに、全ての番組に対してラージフォントを用いて電子番組表を表示した場合に、領域が狭いと番組名が表示されず、すなわち、１５分の番組の領域には１文字しか表示できず、その文字が「…」に置き換えられるため、「…」しか表示されない番組についても、本発明を適用することにより、番組名がスモールフォントで表示されるので、９文字の表示が可能となり、ラージフォントでは表示できない情報を表示できるという効果もある。
【００２９】
さらに、３時間を越える番組を表示する場合、その番組の領域が灰色で表示されるので、利用者は、領域が灰色で表示されていることから、その番組が３時間を越える番組であると判断できる。
【００３０】
図３は、本発明によるデジタル放送受信装置における電子番組表の一例を示す図であり、午後１時から午後４時までの３時間の範囲のチャネル１００〜１０４の番組名を表示している。利用者は、電子番組表上のカーソル３０を、リモコン２あるいは操作部１０を用いることにより移動して、番組を選択し、選局や番組予約を行うことができる。図３では、カーソル３０は、網掛の領域として示されており、カーソル３０が示している番組の番組名が、「番組１」で、点線の四角によりこの領域に表示できる文字数を示している。番組１の領域には、７文字表示できることが示されている。
【００３１】
チャネル１０１の午後１時から午後２時までの間に、１５分の番組、つまり、番組４〜番組７の４つ番組が存在し、これらのフォントがスモールフォントを用いて表示されているため、利用者は、一見して、これらの番組は、放送時間が２０分未満の番組であると判別できる。もし、本発明を用いずに、ラージフォントのみを使って電子番組表を表示すると、この４つの番組については、全て「…」のみの表示となり、また、表示領域端の番組４は、午後１時以前から続いている番組なのか、午後１時から始まる放送時間の短い番組なのかが一見しただけでは判別できない。
【００３２】
上述した実施例では、番組の放送時間が２０分以上か２０分未満かの２種類を区別するために、２つのサイズのフォント、具体的には、ラージフォント（２４ピクセル×２４ピクセル）とスモールフォント（１２ピクセル×１２ピクセル）を用いたが、番組の放送時間をさらに区別したい場合、例えば、１０分未満、１０分以上２０分未満、２０分以上１時間未満、１時間以上の４種類に区分したい場合、それぞれ、８ピクセル×８ピクセル、１２ピクセル×１２ピクセル、１６ピクセル×１６ピクセル、２４ピクセル×２４ピクセルといった４種類のサイズのフォントを割り当てることにより実現できる。このように、フォントのサイズにより放送時間を区別する場合は、利用者が区別可能なフォントサイズの種類の数まで、番組の放送時間を区分することが可能である。
【００３３】
また、チャネル１０４では、放送時間が３時間を越える番組、つまり、番組１４が存在し、これを灰色の領域で表示している。他のチャネルの番組の領域は、白色であり、放送時間が３時間以下であることを示している。文字のフォントのサイズにより放送時間を判別する（２０分以下の番組かどうか判別する）場合と同様に、利用者は、領域の色により、一見して放送時間が３時間を越える番組か否かを判別できる。
【００３４】
上述した実施例では、番組の放送時間が３時間を越えるか３時間以下かの２種類を区別するために、番組の領域の色を灰色と白色の２種類の色で区別したが、番組の放送時間をさらに区分したい場合、例えば、１時間未満、１時間以上２時間未満、２時間以上３時間以下、３時間を超える時間の４種類に区別したい場合、それぞれ、白色、青色、緑色、灰色といった色を割当てることにより実現できる。色の種類を増やせば、区別できる放送時間の数をさらに増やすことができる。
【００３５】
上述した実施例では、番組の放送時間を区別するために、フォントのサイズと領域の色を併用したが、この他にフォントの種類（フォントタイプ）、フォントの色、領域の枠の形状、アイコン表示等を変更してもよい。フォントタイプを変更する場合は、例えば、明朝体、ゴシック体といったフォントタイプ、あるいは、斜体、太字といったフォントスタイルを、放送時間の長さによって変更する。フォントの色を変更する場合は、例えば、黒、赤、緑等のフォントの色を、放送時間の長さによって変更する。
【００３６】
また、領域の枠の形状を変更する場合は、例えば、四角形、角を丸くした四角形、あるいは、２重枠といった形状を、放送時間の長さによって変更する。領域内に表示するアイコンの場合は、放送時間に対応したアイコンを予め決めておいて、各番組の放送時間の長さによって、対応するアイコンを番組の領域内に表示する。また、さらに、番組の放送時間については、上述したフォントサイズ、フォントタイプ、フォントの色、領域の色、領域の枠の形状、アイコン表示等を組み合わせることにより、より細分化された放送時間を識別することも可能である。
【００３７】
【発明の効果】
本発明によれば、利用者は、電子番組表に表示される番組情報の表示形態、具体的には、番組情報を表示する文字の形態や番組情報を表示する領域の表示形態が、放送時間の長さによって異なった表示形態で表示されるので、見たい番組の放送時間が、どれくらい短い番組であるのかあるいは表示されている放送時間帯より長い番組なのかどうかの判別を、一見して行うことができ、利用者にとって使い勝手の良い電子番組表を表示できるデジタル放送受信装置を提供することが可能となる。
【図面の簡単な説明】
【図１】本発明によるデジタル放送受信装置の一実施例の構成を示す図である。
【図２】本発明によるデジタル放送受信装置の一実施例における電子番組表を表示する処理のフローチャートを示す図である。
【図３】本発明によるデジタル放送受信装置における電子番組表の一例を示す図である。
【符号の説明】
１…デジタル放送受信装置、２…リモートコントローラ、１０…操作部、１１…チューナ・復調部、１２…ＴＳデコーダ、１３…制御部（ＣＰＵ）、１４…メモリ部、１４ａ…番組情報、１５…ＡＶデコーダ、１６…グラフィックス生成部、１７…混合部、１８…音声出力部、１９…映像表示部、２０…受信信号入力端子、３０…カーソル。
【図１】
2004363744.tif 000003
【図２】
2004363744.tif 000004
【図３】
2004363744.tif 000005